(57)【特許請求の範囲】
【請求項１】
被写体を撮影して被写体像を示すコマ毎の画像ファイルを生成する撮影手段と、
前記生成された画像ファイルを記憶する記憶手段と、
前記記憶手段に記憶された画像ファイルを転送するための外部記憶装置の残記憶容量を取得する取得手段と、
複数の画像ファイルの記憶容量を合算した合算値が、前記残記憶容量未満となる画像ファイルを記録可能画像ファイルとして検出する検出手段と、
前記記憶手段に記憶されている全ての画像ファイルに応じた被写体像を、前記記録可能画像ファイルに応じた被写体像には転送可能明示枠を表示して、１コマ又は複数コマ毎に表示する表示手段と、
前記表示手段に表示された被写体像に対応する画像ファイルを選択するための選択指示を入力する指示入力手段と、
前記指示入力手段により画像ファイルの選択指示が入力される毎に、選択指示された画像ファイルの記憶容量を前記残記憶容量から減算することにより更新し、更新した残記憶容量を前記表示手段に表示するように制御する制御手段と、
選択指示が終了したときに、前記選択指示された画像ファイルを前記外部記憶装置に転送する転送手段と、
を備えたデジタルカメラ。
【請求項２】
前記検出手段は、撮影順に複数の画像ファイルの記憶容量を合算したときの合算値が、前記残記憶容量未満となる画像ファイルを記録可能画像ファイルとして検出するか、又は記憶容量の大きい順に複数の画像ファイルの記憶容量を合算したときの合算値が、前記残記憶容量未満となる画像ファイルを記録可能画像ファイルとして検出する請求項１記載のデジタルカメラ。
【請求項３】
前記表示手段は、前記被写体像を複数コマ毎に表示しているときに、当該複数コマの被写体像のいずれか１つに前記被写体像の選択候補を示すカーソル枠を表示し、
前記指示入力手段は、前記表示手段に表示された、前記カーソル枠が表示された被写体像に対応する画像ファイルを選択するための選択指示を入力し、
前記制御手段は、前記指示入力手段により選択指示が入力された画像ファイルに対応する被写体像の表示状態を、通常とは異なる状態に更新して表示するようにさらに制御する請求項１又は請求項２記載のデジタルカメラ。
【発明の詳細な説明】
【技術分野】
【０００１】
本発明は、デジタルカメラに係り、特に、通信機能を備えたデジタルカメラに関する。
【背景技術】
【０００２】
近年、デジタルカメラの多機能化に伴い、通信機能を備えたデジタルカメラが普及している。この種のデジタルカメラによれば、当該デジタルカメラに内蔵又は装着された画像データ記録用の記録媒体に対し撮影によって記録された画像データを、通信機能を用いて外部に設けられた記録装置又は記録装置を備えた外部装置に転送することにより、上記記録媒体の残記録容量を増加させることができる。
【０００３】
この種のデジタルカメラにおける、撮影によって記録された画像データの記録装置又は記録装置を備えた外部装置への転送に関する技術としては、特許文献１や特許文献２に記載の技術があった。
【０００４】
特許文献１に記載の技術では、デジタルカメラにおいて送信すべき画像ファイルの全ファイル数をファイル情報として外部装置に送信した後に上記送信すべき画像ファイルを外部装置に順次送信し、外部装置において上記ファイル情報を受信した後に上記画像ファイルを順次受信し、受信したファイル情報に基づいて画像ファイルの転送の終了を判断してデータ通信モードを自動的に終了させており、これによってデジタルカメラから外部装置への画像データの送信を簡易化していた。
【０００５】
一方、特許文献２に記載の技術では、外部装置の装着面をデジタルカメラの本体部に設けられた接続板に接続することにより、カメラ本体部側の接続端子と外部装置側の接続端子とを直接接続するようにしており、これによってカメラ本体部と外部装置とをケーブルで接続することなく、簡易な手順で画像データを転送できるようにしていた。
【特許文献１】特開２０００−２８７１１５号公報
【特許文献２】特開平１１−２５２４２３号公報
【発明の開示】
【発明が解決しようとする課題】
【０００６】
しかしながら、上記特許文献１や、特許文献２に記載の技術では、外部装置に備えられた画像データを記録するための記録媒体の残記録容量が転送すべき画像データの容量以上である場合には簡易に画像データを外部装置に転送することができるものの、外部装置に備えられた記録媒体の残記録容量が転送すべき画像データの容量より少ない場合には、当該画像データの転送途中で容量不足が判明して当該画像データの転送が中止されるので、画像データの転送作業に無駄が生じる、という問題点があった。
【０００７】
本発明は上記問題点を解消するためになされたものであり、撮影によって得られた画像情報の外部への転送作業における無駄の発生を未然に防止することのできるデジタルカメラを提供することを目的とする。
【課題を解決するための手段】
【０００８】
上記目的を達成するために、請求項１記載のデジタルカメラは、被写体を撮影して被写体像を示すコマ毎の画像ファイルを生成する撮影手段と、前記生成された画像ファイルを記憶する記憶手段と、前記記憶手段に記憶された画像ファイルを転送するための外部記憶装置の残記憶容量を取得する取得手段と、複数の画像ファイルの記憶容量を合算した合算値が、前記残記憶容量未満となる画像ファイルを記録可能画像ファイルとして検出する検出手段と、前記記憶手段に記憶されている全ての画像ファイルに応じた被写体像を、前記記録可能画像ファイルに応じた被写体像には転送可能明示枠を表示して、１コマ又は複数コマ毎に表示する表示手段と、前記表示手段に表示された被写体像に対応する画像ファイルを選択するための選択指示を入力する指示入力手段と、前記指示入力手段により画像ファイルの選択指示が入力される毎に、選択指示された画像ファイルの記憶容量を前記残記憶容量から減算することにより更新し、更新した残記憶容量を前記表示手段に表示するように制御する制御手段と、選択指示が終了したときに、前記選択指示された画像ファイルを前記外部記憶装置に転送する転送手段と、を備えている。
【０００９】
請求項１に記載のデジタルカメラによれば、撮像手段によって撮影時に被写体が撮像されて被写体像を示す画像情報が得られ、当該画像情報が記憶手段によって記憶される。
【００１０】
なお、上記撮像手段には、ＣＣＤ（Charge Coupled Device）、ＣＭＯＳ（Complementary Metal Oxide Semiconductor）センサ等の固体撮像素子が含まれる。また、上記記憶手段としては、スマート・メディア（Smart Media(登録商標)）、コンパクト・フラッシュ（Compact Flash）、ＡＴＡ（AT Attachment）カード、マイクロドライブ、フロッピィディスク、ＣＤ−Ｒ（Compact Disc-Recordable）、ＣＤ−ＲＷ（Compact Disc-ReWritable）、光磁気ディスク、磁気テープ等の可搬型記録媒体やハードディスク等の固定記録媒体、ＲＡＭ（Random Access Memory）、ＥＥＰＲＯＭ（Electrically Erasable and Programmable Read Only Memory）、フラッシュＥＥＰＲＯＭ（Flash EEPROM）等の記憶素子等を用いることができる。
【００１１】
ここで、請求項１に記載のデジタルカメラには、上記記憶手段に記憶された画像ファイルを転送するための外部記憶装置の残記憶容量が取得手段により取得され、画像ファイルの記憶容量の合算値が、残記憶容量未満となる画像ファイルが記録可能画像ファイルとして検出手段により検出され、前記記憶手段に記憶された全ての画像ファイルに応じた被写体像が、前記記録可能画像ファイルに応じた被写体像には転送可能明示枠が表示され、上記表示手段に表示された被写体像に対応する画像ファイルを選択するための選択指示が指示入力手段により入力され、上記指示入力手段により画像ファイルの選択指示が入力される毎に、選択指示された画像ファイルの記憶容量が残記憶容量から減算されることにより更新され、更新した残記憶容量が表示手段に表示されるように制御手段により制御され、選択指示が終了したときに、選択指示された画像ファイルが外部記憶装置に転送手段により転送される。
【００１２】
なお、上記取得手段や転送手段としては、有線通信の他、無線通信も含まれる。ここで、上記有線通信には、ＵＳＢ（Universal Serial Bus）による通信、ＩＥＥＥ（Institute of Electrical and Electronics Engineers）１３９４による通信等が含まれ、上記無線通信には、ブルートゥース（Bluetooth）等の電波による通信、ＩｒＤＡ（Infrared Data Association）等の赤外線による通信等が含まれる。
【００１３】
また、上記外部記憶装置には、ハードディスク・ドライブ装置等や、パーソナル・コンピュータ、ＰＤＡ（Personal Data Assistants；個人向け携帯型情報通信機器）等が含まれる。
【００１４】
更に、上記表示手段としては、液晶ディスプレイ、有機ＥＬ（Electro-Luminescence）ディスプレイ、プラズマディスプレイ、ＣＲＴディスプレイ等のあらゆるディスプレイを適用することができる。
【００１５】
すなわち、本発明では、外部記憶装置の残記憶容量を取得し、当該画像ファイルの記憶容量の合算値が、前記残記憶容量未満となる画像ファイルを記録可能画像ファイルとして検出して、表示手段に表示された画像ファイルの中から選択指示された画像ファイルを前記外部記憶装置に転送するようにしており、これによって画像ファイルの転送途中で転送先の外部記憶装置の容量不足が判明して当該画像ファイルの転送が中止される事態の発生を確実に防止し、画像ファイルの転送作業の無駄の発生を未然に防止するようにしている。
【００１６】
また、表示手段により表示された全ての画像ファイルに応じた被写体像のうち、記録可能画像ファイルに応じた被写体像には転送可能明示枠が表示されているので、外部記憶装置に記憶することのできる画像ファイルを容易に把握することができる。更に、画像ファイルの選択指示が入力される毎に、選択指示された画像ファイルの記憶容量を残記憶容量から減算することにより更新し、更新した残記憶容量を表示手段に表示するように制御することによって、上記外部記憶装置に記録することのできる画像ファイルのみを連続して確実に選択することができ、画像ファイルの転送途中で転送先の外部記憶装置の容量不足が判明して当該画像ファイルの転送が中止される事態の発生を確実に防止でき、画像ファイルの転送作業の無駄の発生を未然に防止することができる。
【００１７】
このように、請求項１に記載のデジタルカメラによれば、外部記憶装置の残記憶容量を取得し、画像ファイルの記憶容量の合算値が、前記残記憶容量未満となる画像ファイルを記録可能画像ファイルとして検出し、表示手段に表示された画像ファイルの中から選択指示された画像ファイルを前記外部記憶装置に転送しているので、画像ファイルの転送途中で転送先の外部記憶装置の容量不足が判明して当該画像ファイルの転送が中止される事態の発生を確実に防止し、画像ファイルの転送作業の無駄の発生を未然に防止することができる。また、表示手段により表示された全ての画像ファイルに応じた被写体像のうち、記録可能画像ファイルに応じた被写体像を参照することによって、外部記憶装置に記憶することのできる画像ファイルを容易に把握することができる。更に、画像ファイルの選択指示が入力される毎に、選択指示された画像ファイルの記憶容量を残記憶容量から減算することにより更新し、更新した残記憶容量を表示手段に表示するように制御することによって、画像ファイルの転送途中で転送先の外部記憶装置の容量不足が判明して当該画像ファイルの転送が中止される事態の発生を確実に防止でき、画像ファイルの転送作業の無駄の発生を未然に防止することができる。
【００１８】
また、請求項２記載のデジタルカメラは、請求項１記載の発明において、前記検出手段は、撮影順に画像ファイルの記憶容量を合算したときの合算値が、前記残記憶容量未満となる画像ファイルを記録可能画像ファイルとして検出するか、又は記憶容量の大きい順に画像ファイルの記憶容量を合算したときの合算値が、前記残記憶容量未満となる画像ファイルを記録可能画像ファイルとして検出する。
【００１９】
請求項２に記載のデジタルカメラによれば、本発明の検出手段により、撮影順に画像ファイルの記憶容量を合算したときの合算値が、前記残記憶容量未満となる画像ファイルを記録可能画像ファイルとして検出されるか、又は記憶容量の大きい順に画像ファイルの記憶容量を合算したときの合算値が、前記残記憶容量未満となる画像ファイルを記録可能画像ファイルとして検出される。この結果、撮影時刻が早い画像情報を優先する場合には古い画像情報を優先的に外部に転送してバックアップをとることができ、古い画像を重視する場合の要求に応えることができる。また、容量が大きい画像情報を優先する場合には検出される記録可能画像情報の数を少なくすることができ、画像情報を短時間に転送したい場合の要求に応えることができる。
【００２０】
さらに、本発明は、請求項３に記載の発明のように、前記表示手段は、前記被写体像を複数コマ毎に表示しているときに、当該複数コマの被写体像のいずれか１つに前記被写体像の選択候補を示すカーソル枠を表示し、前記指示入力手段は、前記表示手段に表示された、前記カーソル枠が表示された被写体像に対応する画像ファイルを選択するための選択指示を入力し、前記制御手段は、前記指示入力手段により選択指示が入力された画像ファイルに対応する被写体像の表示状態を、通常とは異なる状態に更新して表示するようにさらに制御するようにしてもよい。
【００２１】
なお、本発明の好適な態様（以下、「第１態様」という。）として、前記転送手段によって転送された前記画像情報を前記記憶手段から消去する消去手段を更に備えるものが挙げられる。
【００２２】
本第１態様によれば、消去手段により、転送手段によって転送された画像情報が記憶手段から消去される。
【００２３】
このように、本第１態様によれば、転送手段によって転送された画像情報を記憶手段から消去しているので、画像情報を転送した場合には記憶手段の記憶容量を増加させることができる。
【００２４】
また、本発明の好適な態様（以下、「第２態様」という。）として、前記表示手段に表示した前記残記録容量が、前記指示入力手段により入力された選択指示によって示される前記画像情報の記憶容量を減算したものとなるように更新する更新手段を更に備えるものが挙げられる。
【００２５】
本第２態様によれば、更新手段により、表示手段に表示された残記録容量が、指示入力手段により入力された選択指示によって示される画像情報の記憶容量が減算されたものとなるように更新される。この結果、外部に転送する画像情報を連続して複数選択する場合において、画像情報を選択する毎に選択した画像情報を転送した後を想定した記録装置の残記録容量を把握することができ、上記記録装置に容量的に記録することのできる画像情報のみを連続して確実に選択することができる。この結果、画像情報の転送途中で転送先の記録装置の容量不足が判明して当該画像情報の転送が中止される事態の発生を確実に防止でき、画像情報の転送作業の無駄の発生を未然に防止することができる。
【００２６】
このように、本第２態様によれば、表示手段に表示した残記録容量が、指示入力手段により入力された選択指示によって示される画像情報の記憶容量を減算したものとなるように更新しているので、外部に転送する画像情報を連続して複数選択する場合においても、画像情報の転送途中で転送先の記録装置の容量不足が判明して当該画像情報の転送が中止される事態の発生を確実に防止でき、画像情報の転送作業の無駄の発生を未然に防止することができる。
【００２７】
更に、本発明の好適な態様（以下、「第３態様」という。）として、前記指示入力手段により入力された選択指示によって示される前記画像情報に対応する前記特定情報及び前記記憶容量を前記表示手段による表示対象から除外する除外手段を更に備えるものが挙げられる。
【００２８】
本第３態様によれば、除外手段により、指示入力手段によって入力された選択指示によって示される画像情報が表示手段による表示対象から除外される。従って、ユーザによって選択されていない画像情報のみが表示手段による表示対象とされるので、転送すべき画像情報として同一の画像情報を複数回選択してしまう、といった転送作業における無駄の発生を未然に防止することができる。
【００２９】
このように、本第３態様によれば、転送すべき画像情報として既に選択された画像情報を表示手段による表示対象から除外しているので、転送作業における無駄の発生を、より防止することができる。
【発明の効果】
【００３０】
請求項１及び請求項２に記載のデジタルカメラによれば、外部記憶装置の残記憶容量を取得し、画像ファイルの記憶容量の合算値が、残記憶容量未満となる画像ファイルを記録可能画像ファイルとして検出し、表示手段に表示された１コマ又は複数コマ毎の被写体像に対応する画像ファイルの中から選択指示された画像ファイルを前記外部記憶装置に転送しているので、画像ファイルの転送途中で転送先の記録装置の容量不足が判明して当該画像ファイルの転送が中止される事態の発生を確実に防止し、画像ファイルの転送作業の無駄の発生を未然に防止することができる、という効果が得られる。
【００３１】
また、外部記憶装置へ転送する画像ファイルの選択指示が入力される毎に、選択指示された画像ファイルの記憶容量を残記憶容量から減算することにより更新し、更新した残記憶容量を表示手段に表示するように制御しているので、外部記憶装置に記録することのできる画像ファイルのみを連続して確実に選択することができ、画像情報の転送途中で転送先の記録装置の容量不足が判明して当該画像情報の転送が中止される事態の発生を確実に防止し、画像情報の転送作業の無駄の発生を未然に防止することができる、という効果が得られる。
【発明を実施するための最良の形態】
【００３２】
以下、図面を参照して、本発明の実施の形態について詳細に説明する。まず、図１を参照して、本実施の形態に係るデジタルカメラ１０の外観上の構成を説明する。
【００３３】
同図に示すように、デジタルカメラ１０の正面には、被写体像を結像させるためのレンズ１２と、撮影する被写体の構図を決定するために用いられるファインダ７０と、が備えられている。また、デジタルカメラ１０の上面には、撮影を実行する際にユーザによって押圧操作されるレリーズボタン（所謂シャッター）６０と、電源スイッチ６６と、が備えられている。
【００３４】
なお、本実施の形態に係るレリーズボタン６０は、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００３５】
また、本実施の形態に係るデジタルカメラ１０は、静止画像の撮影の他、動画像の撮影も行うことができるように構成されており、静止画像の撮影を行う際には、レリーズボタン６０を半押し状態にすることによりＡＥ（Automatic Exposure、自動露出）機能が働いて露出状態（シャッタースピード、絞りの状態）が設定された後、ＡＦ（Auto Focus、自動合焦）機能が働いて合焦制御され、その後、引き続き全押し状態にすると露光（撮影）が行われる。
【００３６】
これに対し、動画像の撮影を行う際には、レリーズボタン６０を全押し状態とすることによって動画像の撮影が開始され、レリーズボタン６０の押下状態を一旦未押下状態まで戻した後、再度全押し状態とすることによって当該動画像の撮影が停止されるように構成されている。このように、本実施の形態に係るデジタルカメラ１０では、動画像の撮影を開始するときにレリーズボタン６０を全押し状態とし、当該撮影を停止するときに再度レリーズボタン６０を全押し状態とするものであるが、これに限らず、レリーズボタン６０を全押し状態としている期間中に動画像の撮影を行う形態とすることもできる。
【００３７】
一方、デジタルカメラ１０の背面には、前述のファインダ７０の接眼部と、撮影によって得られたデジタル画像データにより示される被写体像や各種メニュー画面、メッセージ等を表示するための液晶ディスプレイ（以下、「ＬＣＤ」という。）３０と、撮影を行うモードである撮影モード及び撮影によって得られたデジタル画像データにより示される被写体像をＬＣＤ３０に表示（再生）するモードである再生モードの何れかのモードに設定するために操作されるモード切替スイッチ６２と、ＬＣＤ３０の表示領域における上下左右の４方向の移動方向を示す４つの矢印キー及び当該４つの矢印キーの中央部に位置された決定キーの合計５つのキーを含んで構成された十字カーソルボタン６４と、表示切替スイッチ６８と、が備えられている。
【００３８】
一方、デジタルカメラ１０の底面には、外部装置と所定のインタフェース規格（本実施の形態では、ＵＳＢ（Universal Serial Bus））により電気的に接続するために用いられるレセプタクル７２が設けられている。
【００３９】
次に、図２を参照して、本実施の形態に係るデジタルカメラ１０の電気系の構成を説明する。
【００４０】
同図に示すように、デジタルカメラ１０は、前述のレンズ１２を含んで構成された光学ユニット１３と、レンズ１２の光軸後方に配設されたＣＣＤ１４と、相関二重サンプリング回路（以下、「ＣＤＳ」という。）１６と、入力されたアナログ信号をデジタルデータに変換するアナログ／デジタル変換器（以下、「ＡＤＣ」という。）１８と、を含んで構成されており、ＣＣＤ１４の出力端子はＣＤＳ１６の入力端子に、ＣＤＳ１６の出力端子はＡＤＣ１８の入力端子に、各々接続されている。
【００４１】
ここで、ＣＤＳ１６による相関二重サンプリング処理は、固体撮像素子の出力信号に含まれるノイズ（特に熱雑音）等を軽減することを目的として、固体撮像素子の１画素毎の出力信号に含まれるフィードスルー成分レベルと画素信号成分レベルとの差をとることにより正確な画素データを得る処理である。
【００４２】
一方、デジタルカメラ１０は、所定容量のラインバッファを内蔵すると共に入力されたデジタル画像データを後述する第２メモリ４０の所定領域に直接記憶させる制御を行う画像入力コントローラ２０と、デジタル画像データに対して各種画像処理を施す画像信号処理回路２２と、所定の圧縮形式でデジタル画像データに対して圧縮処理を施す一方、圧縮処理されたデジタル画像データに対して伸張処理を施す圧縮・伸張処理回路２４と、デジタル画像データにより示される画像やメニュー画面等をＬＣＤ３０に表示させるための信号を生成してＬＣＤ３０に供給する一方、ＬＣＤ３０に表示させる画像を示す映像信号（本実施の形態では、ＮＴＳＣ信号。）を生成してビデオ出力端子ＯＵＴに出力するビデオ／ＬＣＤエンコーダ２８と、を含んで構成されている。なお、画像入力コントローラ２０の入力端子はＡＤＣ１８の出力端子に接続されている。
【００４３】
また、デジタルカメラ１０は、デジタルカメラ１０全体の動作を司るＣＰＵ（中央処理装置）３２と、ＡＦ機能を働かせるために必要とされる物理量（本実施の形態では、ＣＣＤ１４による撮像によって得られた画像のコントラスト値。）を検出するＡＦ検出回路３４と、ＡＥ機能及びＡＷＢ（Automatic White Balance）機能を働かせるために必要とされる物理量（本実施の形態では、ＣＣＤ１４による撮像によって得られた画像の明るさを示す量。）を検出するＡＥ・ＡＷＢ検出回路３６と、ＣＰＵ３２による各種処理の実行時のワークエリア等として用いられるＳＤＲＡＭ（Synchronous Dynamic Random Access Memory）により構成された第１メモリ３８と、主として撮影により得られたデジタル画像データを記憶するＶＲＡＭ（Video RAM）により構成された第２メモリ４０と、を含んで構成されている。
【００４４】
更に、デジタルカメラ１０は、スマート・メディア（Smart Media（登録商標））により構成された記録メディア４２Ａ及びマイクロドライブにおける記録メディア４２Ｂをデジタルカメラ１０でアクセス可能とするためのメディアコントローラ４２と、前述のレセプタクル７２に接続されると共にＵＳＢ規格による外部との間の通信を司るＵＳＢインタフェース４６と、を含んで構成されている。
【００４５】
以上の画像入力コントローラ２０、画像信号処理回路２２、圧縮・伸張処理回路２４、ビデオ／ＬＣＤエンコーダ２８、ＣＰＵ３２、ＡＦ検出回路３４、ＡＥ・ＡＷＢ検出回路３６、第１メモリ３８、第２メモリ４０、メディアコントローラ４２、及びＵＳＢインタフェース４６は、各々、バスＢＵＳを介して相互に接続されている。
【００４６】
従って、ＣＰＵ３２は、画像入力コントローラ２０、画像信号処理回路２２、圧縮・伸張処理回路２４、及びビデオ／ＬＣＤエンコーダ２８の各々の作動の制御と、ＡＦ検出回路３４及びＡＥ・ＡＷＢ検出回路３６により検出された物理量の取得と、第１メモリ３８、第２メモリ４０、記録メディア４２Ａ、及び記録メディア４２Ｂへのアクセスと、レセプタクル７２に接続された外部装置との相互通信と、を各々行うことができる。
【００４７】
なお、本実施の形態では、上記外部装置として、ハードディスク装置９２が接続されたパーソナル・コンピュータ（以下、「ＰＣ」という。）９０を適用する場合について説明する。また、本実施の形態では、撮影によって得られたデジタル画像データは、画像ファイルとして記録メディア４２Ａに撮影順に記録される。
【００４８】
一方、デジタルカメラ１０には、主としてＣＣＤ１４を駆動させるためのタイミング信号を生成してＣＣＤ１４に供給するタイミングジェネレータ４８が設けられており、当該タイミングジェネレータ４８の入力端子はＣＰＵ３２に、出力端子はＣＣＤ１４に、各々接続されており、ＣＣＤ１４の駆動は、ＣＰＵ３２によりタイミングジェネレータ４８を介して制御される。
【００４９】
更に、ＣＰＵ３２はモータ駆動部５０の入力端子に接続され、モータ駆動部５０の出力端子は光学ユニット１３に備えられた焦点調整モータ、ズームモータ及び絞り駆動モータに接続されている。
【００５０】
本実施の形態に係る光学ユニット１３に含まれるレンズ１２は複数枚のレンズを有し、焦点距離の変更（変倍）が可能なズームレンズとして構成されており、図示しないレンズ駆動機構を備えている。このレンズ駆動機構に上記焦点調整モータ、ズームモータ及び絞り駆動モータは含まれるものであり、焦点調整モータ、ズームモータ及び絞り駆動モータは各々ＣＰＵ３２の制御下でモータ駆動部５０から供給された駆動信号によって駆動される。
【００５１】
ＣＰＵ３２は、光学ズーム倍率を変更する際にはズームモータを駆動制御して光学ユニット１３に含まれるレンズの焦点距離を変化させる。
【００５２】
また、ＣＰＵ３２は、ＣＣＤ１４による撮像によって得られた画像のコントラスト値が最大となるように上記焦点調整モータを駆動制御することによって合焦制御を行う。すなわち、本実施の形態に係るデジタルカメラ１０では、合焦制御として、読み取られた画像のコントラストが最大となるようにレンズの位置を設定する、所謂ＴＴＬ（Through The Lens）方式を採用している。
【００５３】
更に、前述のレリーズボタン６０、モード切替スイッチ６２、十字カーソルボタン６４、電源スイッチ６６、及び表示切替スイッチ６８の各種ボタン類及びスイッチ類はＣＰＵ３２に接続されており、ＣＰＵ３２は、これらのボタン類及びスイッチ類に対する操作状態を常時把握できる。
【００５４】
ところで、本実施の形態に係るデジタルカメラ１０は、撮影によって記録メディア４２Ａに記録された画像ファイルを外部装置に転送するモードであるバックアップモードが、ＬＣＤ３０に表示される不図示のメニュー画面上で設定できるように構成されている。
【００５５】
また、当該バックアップモードには、転送候補となる画像ファイルにより示される被写体像を１枚ずつＬＣＤ３０に表示させて転送すべき画像ファイルを選択することができる１コマ再生モードと、転送候補となる画像ファイルにより示される被写体像（本実施の形態では、サムネール（Thumbnail））を複数（本実施の形態では、４画像）ずつＬＣＤ３０に表示させて転送すべき画像ファイルを選択することができるマルチ再生モードと、転送候補となる画像ファイルのファイル名をＬＣＤ３０に一覧表示させて転送すべき画像ファイルを選択することができるファイル名表示モードと、の３種類のモードが用意されている。表示切替スイッチ６８は、バックアップモードが設定されているときに、１コマ再生モード、マルチ再生モード、及びファイル名表示モードの何れのモードを適用するかを設定するものである。
【００５６】
一方、本実施の形態に係るデジタルカメラ１０には、バックアップモードが設定された状態において、レセプタクル７２に接続されている外部装置に備えられた記録媒体（本実施の形態では、ハードディスク装置９２のハードディスク。）に記録可能な画像ファイル（以下、「記録可能画像ファイル」という。）を記録メディア４２Ａに記録されている画像ファイルから自動的に検出する機能（以下、「自動検出機能」という。）が備えられている。そして、当該自動検出機能の実行時におけるモードとして、画像ファイルを得るために行った撮影時刻が早いものを優先して記録可能画像ファイルを検出するモードである撮影順優先モード、及び容量が大きい画像ファイルを優先して記録可能画像ファイルを検出するモードである容量優先モードの２つのモードが用意されており、何れのモードを適用するかは、ＬＣＤ３０に表示される不図示のメニュー画面上で設定される。
【００５７】
ＣＣＤ１４が本発明の撮像手段に、ＬＣＤ３０が本発明の表示手段に、ＣＰＵ３２が本発明の取得手段、検出手段及び転送手段に、記録メディア４２Ａが本発明の記憶手段に、ＵＳＢインタフェース４６が本発明の通信手段に、十字カーソルボタン６４が本発明の指示入力手段に、各々相当する。
【００５８】
次に、本実施の形態に係るデジタルカメラ１０の作用を説明する。まず、撮影時におけるデジタルカメラ１０の作用を簡単に説明する。
【００５９】
光学ユニット１３を介した撮像によってＣＣＤ１４から出力された被写体像を示す信号は順次ＣＤＳ１６に入力されて相関二重サンプリング処理が施された後にＡＤＣ１８に入力され、ＡＤＣ１８は、ＣＤＳ１６から入力されたＲ（赤）、Ｇ（緑）、Ｂ（青）の信号を各々１２ビットのＲ、Ｇ、Ｂ信号（デジタル画像データ）に変換して画像入力コントローラ２０に出力する。
【００６０】
画像入力コントローラ２０は内蔵しているラインバッファにＡＤＣ１８から順次入力されるデジタル画像データを蓄積して一旦第２メモリ４０の所定領域に格納する。
【００６１】
第２メモリ４０の所定領域に格納されたデジタル画像データは、ＣＰＵ３２による制御下で画像信号処理回路２２によって読み出され、これらにＡＥ・ＡＷＢ検出回路３６により検出された物理量に応じたデジタルゲインをかけることでホワイトバランス調整を行なうと共に、ガンマ処理及びシャープネス処理を行なって８ビットのデジタル画像データを生成し、更にＹＣ信号処理を施して輝度信号Ｙとクロマ信号Ｃｒ、Ｃｂ（以下、「ＹＣ信号」という。）を生成し、ＹＣ信号を第２メモリ４０の上記所定領域とは異なる領域に格納する。
【００６２】
なお、ＬＣＤ３０は、ＣＣＤ１４による連続的な撮像によって得られた動画像（スルー画像）を表示してファインダとして使用することができるものとして構成されているが、このようにＬＣＤ３０をファインダとして使用する場合には、生成したＹＣ信号を、ビデオ／ＬＣＤエンコーダ２８を介して順次ＬＣＤ３０に出力する。これによってＬＣＤ３０にスルー画像が表示されることになる。
【００６３】
ここで、ユーザにより静止画像の撮影が設定されているときには、レリーズボタン６０がユーザによって全押し状態とされたときに、この時点で第２メモリ４０に格納されているＹＣ信号を、圧縮・伸張処理回路２４によって所定の圧縮形式（本実施の形態では、ＪＰＥＧ形式）で圧縮した後にメディアコントローラ４２を介して記録メディア４２Ａに記録する。
【００６４】
また、ユーザにより動画像の撮影が設定されているときには、レリーズボタン６０が全押し状態とされた時点から次にレリーズボタン６０が全押し状態とされる時点までの期間、すなわち動画像の撮影を行っている期間において、所定期間（本実施の形態では、１／３０秒（０．０３３・・・秒））毎に、第２メモリ４０に格納されているＹＣ信号を、圧縮・伸張処理回路２４によって所定の圧縮形式（本実施の形態では、Ｍｏｔｉｏｎ  ＪＰＥＧ形式）で圧縮した後にメディアコントローラ４２を介して記録メディア４２Ａに記録する。従って、本実施の形態に係るデジタルカメラ１０で動画像の撮影を行うときには、３０フレーム／秒の動画像を記録メディア４２Ａに記録することができる。
【００６５】
次に、図３を参照して、デジタルカメラ１０において実行されるバックアップ処理について説明する。なお、図３は、モード切替スイッチ６２により再生モードが設定され、かつ不図示のメニュー画面上でバックアップモードが設定されているときに、外部装置（本実施の形態では、ＰＣ９０）がレセプタクル７２に接続された場合にデジタルカメラ１０のＣＰＵ３２で実行されるバックアップ処理プログラムの処理の流れを示すフローチャートである。
【００６６】
同図のステップ１００では、ハードディスク装置９２の残記録容量（以下、「空容量」という。）ＥＳを、ＵＳＢインタフェース４６を介してＰＣ９０に問い合わせる。これに応じてＰＣ９０は、ハードディスク装置９２の空容量ＥＳを検出して当該空容量ＥＳを示す情報をデジタルカメラ１０に送信する。
【００６７】
そこで、次のステップ１０２では、ＰＣ９０からの空容量ＥＳを示す情報の受信待ちを行い、次のステップ１０４では、記録メディア４２Ａに記録されている全ての画像ファイルの記憶容量を当該記録メディア４２ＡのＦＡＴ（File Allocation Table）及びディレクトリに基づいて取得し、更に、次のステップ１０６では、取得した全ての画像ファイルの記憶容量の合計値である合計容量ＡＳを導出する。
【００６８】
次のステップ１０８では、上記ステップ１０２において取得した空容量ＥＳが上記ステップ１０６において導出した合計容量ＡＳより少ないか否かを判定し、否定判定の場合はステップ１１０に移行して記録メディア４２Ａに記録されている全ての画像ファイルをＰＣ９０に転送した後、次のステップ１１２で、転送した全ての画像ファイルを記録メディア４２Ａから消去した後に本バックアップ処理を終了する。
【００６９】
一方、上記ステップ１０８において肯定判定となった場合、すなわち、空容量ＥＳが合計容量ＡＳより少ない場合にはステップ１１４に移行し、自動検出機能として不図示のメニュー画面上で前述の撮影順優先モードが設定されているか否かを判定し、肯定判定の場合にはステップ１１６に移行して、撮影順に記録可能画像ファイルを検出した後にステップ１２０に移行し、否定判定の場合には容量優先モードが設定されているものと見なしてステップ１１８に移行し、記憶容量の大きな順に記録可能画像ファイルを検出した後にステップ１２０に移行する。
【００７０】
なお、上記ステップ１１６では、記録メディア４２Ａから撮影順に画像ファイルの記憶容量を検出して当該記憶容量を順次合算していき、合算値が空容量ＥＳを超えたときに、最後に記憶容量を合算した画像ファイルを除く合算対象とした画像ファイルを記録可能画像ファイルとして検出する。また、上記ステップ１１８では、記録メディア４２Ａから記憶容量の大きい順に画像ファイルの記憶容量を順次合算していき、合算値が空容量ＥＳを超えたときに、最後に記憶容量を合算した画像ファイルを除く合算対象とした画像ファイルを記録可能画像ファイルとして検出する。
【００７１】
ステップ１２０では、予め定められたフォーマットの転送要否確認画面がＬＣＤ３０に表示されるようにビデオ／ＬＣＤエンコーダ２８を制御し、次のステップ１２２では、所定情報の入力待ちを行う。
【００７２】
図４には、上記ステップ１２０の処理によってＬＣＤ３０に表示された転送要否確認画面が示されている。同図に示すように、本実施の形態に係る転送要否確認画面では、以上によって自動的に検出した記録可能画像ファイルの転送を行うか否かの指定を促すメッセージが表示されると共に、「転送する」ボタン及び「転送しない」ボタンが表示される。このような転送要否確認画面がＬＣＤ３０に表示されるとユーザは、記録可能画像ファイルの全てを外部装置に転送したい場合は「転送する」ボタンを、記録メディア４２Ａに記録されている画像ファイルから所望の画像ファイルのみを転送したい場合は「転送しない」ボタンを、各々十字カーソルボタン６４の操作によって指定する。この操作により、ユーザによって指定された「転送する」ボタン又は「転送しない」ボタンを示す情報が入力されて上記ステップ１２２が肯定判定となってステップ１２４に移行する。
【００７３】
ステップ１２４では、上記ステップ１２２において入力された情報により示されるボタンが「転送する」ボタンであったか否かを判定し、肯定判定の場合はステップ１２６に移行して、上記ステップ１１６又は上記ステップ１１８により検出された全ての記録可能画像ファイルをＰＣ９０に転送した後、次のステップ１２８で、転送した全ての記録可能画像ファイルを記録メディア４２Ａから消去した後に本バックアップ処理を終了する。
【００７４】
一方、上記ステップ１２４において否定判定となった場合、すなわち、ユーザにより「転送しない」ボタンが指定された場合にはステップ１３０に移行する。
【００７５】
ステップ１３０では、表示切替スイッチ６８の操作によって設定されているモードが１コマ再生モードであるか否かを判定し、肯定判定の場合はステップ１３２に移行して後述する１コマ再生モード処理を実行した後に本バックアップ処理を終了し、否定判定の場合にはステップ１３４に移行する。
【００７６】
ステップ１３４では、表示切替スイッチ６８の操作によって設定されているモードがマルチ再生モードであるか否かを判定し、肯定判定の場合はステップ１３６に移行して後述するマルチ再生モード処理を実行した後に本バックアップ処理を終了し、否定判定の場合には設定されているモードがファイル名表示モードであるものと見なしてステップ１３８に移行し、後述するファイル名表示モード処理を実行した後に本バックアップ処理を終了する。
【００７７】
次に、図５を参照して、１コマ再生モード処理について説明する。なお、図５は、１コマ再生モード処理を実行する際にデジタルカメラ１０のＣＰＵ３２で実行される１コマ再生モード処理プログラムの処理の流れを示すフローチャートである。
【００７８】
同図のステップ２００では、予め定められたフォーマットの１コマ再生モード画面がＬＣＤ３０に表示されるようにビデオ／ＬＣＤエンコーダ２８を制御する。
【００７９】
図６には、本ステップ２００の処理によってＬＣＤ３０に表示された１コマ再生モード画面が示されている。同図に示すように、本実施の形態に係る１コマ再生モード画面では、記録メディア４２Ａに記録されている画像ファイルの全てはＰＣ９０に転送することができない旨を示すメッセージと、表示されている被写体像に対応する画像ファイルを外部装置に転送する場合に「転送する」ボタンを指定する旨を示すメッセージと、表示されている被写体像に対応する画像ファイルの記憶容量（同図では「表示画像容量」と表示。）と、バックアップ先となるハードディスク装置９２の空容量ＥＳ（同図では「転送先空容量」と表示。）と、が表示されると共に、記録メディア４２Ａに記録されている画像ファイルのうちの何れか１つに対応する被写体像が表示される。
【００８０】
なお、同図に示すように、本実施の形態に係る１コマ再生モード画面では、前述のバックアップ処理（図３も参照）のステップ１１６又はステップ１１８において検出した記録可能画像ファイルの被写体像を表示する場合に、当該被写体像の周囲に転送可能明示枠ＴＦを表示している。これにより、ユーザによって転送可能明示枠ＴＦにより囲まれている被写体像のみを転送すべき画像ファイルとして指定しているときには指定した全ての画像ファイルを確実に転送できる、ということを明示している。
【００８１】
このような１コマ再生モード画面がＬＣＤ３０に表示されるとユーザは、表示されている被写体像に対応する画像ファイルを転送したい場合で、かつ当該画像ファイルの記憶容量（「表示画像容量」）が空容量ＥＳ（「転送先空容量」）以下である場合には「転送する」ボタンを、他の被写体像をＬＣＤ３０に表示させたい場合には「次の画像」ボタンを、各々十字カーソルボタン６４の操作によって指定する。
【００８２】
そこで、次のステップ２０２では、上記ステップ２００によりＬＣＤ３０に表示された被写体像に対応する画像ファイルがユーザによって転送したい画像ファイルとして選択されたか否かを判定し、肯定判定の場合はステップ２０４に移行して、当該画像ファイルのファイル名を第１メモリ３８の所定領域に記憶し、次のステップ２０６で、この時点の空容量ＥＳから当該画像ファイルの記憶容量を減算することにより、空容量ＥＳが当該画像ファイルを記憶した場合のハードディスク装置９２の空容量となるように空容量ＥＳを更新し、更に、次のステップ２０８で、ＬＣＤ３０に表示されている空容量の値を上記ステップ２０６で得られた空容量ＥＳの値となるように更新する。
【００８３】
上記ステップ２０６、ステップ２０８の処理により、ＬＣＤ３０に表示されているハードディスク装置９２の空容量が、表示中の被写体像に対応する画像ファイルの転送後の空容量を示すものに更新される。
【００８４】
次のステップ２１０では、記録メディア４２Ａに記録されている全ての画像ファイルについて上記ステップ２００〜ステップ２０８の処理が終了したか否かを判定し、否定判定の場合は上記ステップ２００に戻って再び上記ステップ２００〜ステップ２０８の処理を実行し、肯定判定となった時点でステップ２１２に移行する。なお、上記ステップ２００〜ステップ２１０の繰り返し処理の実行時にステップ２００では、それまでに処理対象としなかった画像ファイルを処理対象とするようにする。
【００８５】
ステップ２１２では、上記ステップ２００〜ステップ２１０の繰り返し処理によってユーザにより選択された全ての画像ファイルのファイル名を第１メモリ３８から読み出し、読み出したファイル名により示される画像ファイルをＵＳＢインタフェース４６及びレセプタクル７２を介してＰＣ９０に転送し、次のステップ２１４では、転送した画像ファイルを記録メディア４２Ａから消去し、その後に本１コマ再生モード処理を終了する。なお、上記ステップ２１２の処理に応じて画像ファイルを受信したＰＣ９０は、ハードディスク装置９２の空領域に受信した画像ファイルを順次記録する。
【００８６】
次に、図７を参照して、マルチ再生モード処理について説明する。なお、図７は、マルチ再生モード処理を実行する際にデジタルカメラ１０のＣＰＵ３２で実行されるマルチ再生モード処理プログラムの処理の流れを示すフローチャートである。
【００８７】
同図のステップ３００では、予め定められたフォーマットのマルチ再生モード画面がＬＣＤ３０に表示されるようにビデオ／ＬＣＤエンコーダ２８を制御する。
【００８８】
図８（Ａ）には、本ステップ３００の処理によってＬＣＤ３０に表示されたマルチ再生モード画面が示されている。同図に示すように、本実施の形態に係るマルチ再生モード画面では、記録メディア４２Ａに記録されている画像ファイルの全てはＰＣ９０に転送することができない旨を示すメッセージと、表示されている複数（本実施の形態では、４。）の被写体像の中からＰＣ９０に転送したい画像ファイルに対応する被写体像の選択を促す旨のメッセージと、表示されている被写体像のうちのカーソル枠ＣＦで囲まれた被写体像に対応する画像ファイルの記憶容量（同図では「選択画像容量」と表示。）と、バックアップ先となるハードディスク装置９２の空容量ＥＳ（同図では「転送先空容量」と表示。）と、が表示されると共に、記録メディア４２Ａに記録されている画像ファイルのうちの複数（本実施の形態では、４。）に各々対応する被写体像が表示される。
【００８９】
また、同図に示すように、本実施の形態に係るマルチ再生モード画面でも、前述の１コマ再生モード画面と同様に、前述のバックアップ処理（図３も参照）のステップ１１６又はステップ１１８において検出した記録可能画像ファイルの被写体像の周囲に転送可能明示枠ＴＦが表示されている。これにより、ユーザによって転送可能明示枠ＴＦにより囲まれている被写体像のみを転送すべき画像ファイルとして選択しているときには選択した全ての画像ファイルを確実に転送できる、ということを明示している。
【００９０】
ここで、上記カーソル枠ＣＦは、ユーザによる被写体像の選択候補を示すものであり、十字カーソルボタン６４に設けられている上下左右の４方向の移動方向を示す４つの矢印キーに対する操作により、一例として図８（Ｂ）に示すように、操作された矢印キーの指し示す方向に位置する被写体像の表示位置に移動されるものである。
【００９１】
なお、本実施の形態のマルチ再生モード画面では、撮影順に複数（４つ）の被写体像を表示するようにしており、当該画面に表示しきれない被写体像をＬＣＤ３０に表示させたい場合には、カーソル枠ＣＦが被写体像の表示領域の下端に位置された状態で下方向を示す矢印キーを押圧操作するか、又はカーソル枠ＣＦが被写体像の表示領域の上端に位置された状態で上方向を示す矢印キーを押圧操作する。これによって、表示されている被写体像が、上方向ないし下方向にスクロールされて未表示となっている被写体像を表示することができる。
【００９２】
そして、ユーザは、カーソル枠ＣＦが位置され、選択候補とされた被写体像に対応する画像ファイルをＰＣ９０に転送したい画像ファイルとして選択する場合には、十字カーソルボタン６４に設けられている決定キーを押圧操作する。また、ユーザは、転送したい画像ファイルの選択を終了する場合には、十字カーソルボタン６４の操作によってマルチ再生モード画面の最下に表示された「選択終了」ボタンを指定する。
【００９３】
そこで次のステップ３０２では、十字カーソルボタン６４の決定キーが押圧操作されたか否かを判定することにより、ユーザによりＰＣ９０に転送したい画像ファイルが選択されたか否かを判定し、肯定判定の場合はステップ３０４に移行してユーザにより選択された画像ファイルのファイル名を第１メモリ３８の所定領域に記憶し、更に、次のステップ３０６で、選択された画像ファイルに対応する被写体像の表示状態を通常とは異なる状態に更新する。
【００９４】
図８（Ｃ）には、この時点のマルチ再生モード画面の表示状態例が示されている。同図に示す例では、上記通常とは異なる状態として、ユーザにより選択された被写体像に対してマスクＭによりマスキングした状態を適用している。このように、本実施の形態に係るマルチ再生モード処理では、十字カーソルボタン６４の操作によって選択された転送すべき画像ファイルをＬＣＤ３０による表示対象から除外するようにしているので、転送すべき画像ファイルとして同一の画像ファイルを複数回選択してしまう、といった転送作業における無駄の発生を未然に防止することができる。なお、このとき、マスキングする形態に限らず、選択された被写体像の表示をカラー表示からモノクロ表示に変える、選択された被写体像をブリンク（点滅）表示とする、選択された被写体像をリバース（反転）表示とする、等の、選択された被写体像と他の被写体像とを区別できる表示状態であれば、如何なる形態も適用できる。
【００９５】
次のステップ３０８では、この時点の空容量ＥＳからユーザによって選択された画像ファイルの記憶容量を減算することにより、空容量ＥＳが当該画像ファイルを記憶した場合のハードディスク装置９２の空容量となるように空容量ＥＳを更新し、次のステップ３１０で、ＬＣＤ３０に表示されている空容量の値を上記ステップ３０８で得られた空容量ＥＳの値となるように更新し、その後に上記ステップ３０２に戻る。
【００９６】
一方、上記ステップ３０２において否定判定された場合、すなわち、ユーザによりＰＣ９０に転送したい画像ファイルが選択されていない場合にはステップ３１２に移行し、十字カーソルボタン６４による操作によりマルチ再生モード画面の最下に表示された「選択終了」ボタンが指定されたか否かを判定することにより、ユーザによるＰＣ９０に転送したい画像ファイルの選択が終了したか否かを判定し、肯定判定の場合はステップ３１４に移行する。
【００９７】
ステップ３１４では、上記ステップ３０２〜ステップ３１０の繰り返し処理によってユーザにより選択された全ての画像ファイルのファイル名を第１メモリ３８から読み出し、読み出したファイル名により示される画像ファイルをＵＳＢインタフェース４６及びレセプタクル７２を介してＰＣ９０に転送し、次のステップ３１６では、転送した画像ファイルを記録メディア４２Ａから消去し、その後にマルチ再生モード処理を終了する。
【００９８】
なお、上記ステップ３１２において否定判定された場合には上記ステップ３０２に戻る。また、上記ステップ３１４の処理に応じて画像ファイルを受信したＰＣ９０は、ハードディスク装置９２の空領域に受信した画像ファイルを順次記録する。
【００９９】
次に、図９を参照して、ファイル名表示モード処理について説明する。なお、図９は、ファイル名表示モード処理を実行する際にデジタルカメラ１０のＣＰＵ３２で実行されるファイル名表示モード処理プログラムの処理の流れを示すフローチャートである。
【０１００】
同図のステップ４００では、予め定められたフォーマットのファイル名表示モード画面がＬＣＤ３０に表示されるようにビデオ／ＬＣＤエンコーダ２８を制御する。
【０１０１】
図１０（Ａ）には、本ステップ４００の処理によってＬＣＤ３０に表示されたファイル名表示モード画面が示されている。同図に示すように、本実施の形態に係るファイル名表示モード画面では、記録メディア４２Ａに記録されている画像ファイルの全てはＰＣ９０に転送することができない旨を示すメッセージと、表示されている複数のファイル名の中からＰＣ９０に転送したい画像ファイルに対応するファイル名の選択を促す旨のメッセージと、表示されているファイル名のうちのリバース表示（反転表示）されたファイル名に対応する画像ファイルの記憶容量（同図では「選択画像容量」と表示。）と、バックアップ先となるハードディスク装置９２の空容量ＥＳ（同図では「転送先空容量」と表示。）と、が表示されると共に、記録メディア４２Ａに記録されている画像ファイルのうちの複数に各々対応するファイル名が表示される。
【０１０２】
また、同図に示すように、本実施の形態に係るファイル名表示モード画面でも、前述の１コマ再生モード画面と同様に、前述のバックアップ処理（図３も参照）のステップ１１６又はステップ１１８において検出した記録可能画像ファイルのファイル名を取り囲むように転送可能明示枠ＴＦが表示されている。これにより、ユーザによって転送可能明示枠ＴＦにより囲まれているファイル名のみを転送すべき画像ファイルとして選択しているときには選択した全ての画像ファイルを確実に転送できる、ということを明示している。
【０１０３】
ここで、ファイル名のリバース表示は、ユーザによる画像ファイルの選択候補を示すものであり、十字カーソルボタン６４に設けられている上下左右の４方向の移動方向を示す４つの矢印キーに対する操作により、一例として図１０（Ｂ）に示すように、操作された矢印キーの指し示す方向に位置するファイル名が対象とされるものである。
【０１０４】
なお、本実施の形態のファイル名表示モード画面では、撮影順に複数のファイル名を表示するようにしており、当該画面に表示しきれないファイル名をＬＣＤ３０に表示させたい場合には、ファイル名の表示領域の下端に位置されたファイル名がリバース表示とされた状態で下方向を示す矢印キーを押圧操作するか、又はファイル名の表示領域の上端に位置されたファイル名がリバース表示とされた状態で上方向を示す矢印キーを押圧操作する。これによって、表示されているファイル名が、上方向ないし下方向にスクロールされて未表示となっているファイル名を表示することができる。
【０１０５】
そして、ユーザは、リバース表示とされ、選択候補とされたファイル名に対応する画像ファイルをＰＣ９０に転送したい画像ファイルとして選択する場合には、十字カーソルボタン６４に設けられている決定キーを押圧操作する。また、ユーザは、転送したい画像ファイルの選択を終了する場合には、十字カーソルボタン６４の操作によってファイル名表示モード画面の最下に表示された「選択終了」ボタンを指定する。
【０１０６】
そこで次のステップ４０２では、十字カーソルボタン６４の決定キーが押圧操作されたか否かを判定することにより、ユーザによりＰＣ９０に転送したい画像ファイルが選択されたか否かを判定し、肯定判定の場合はステップ４０４に移行してユーザにより選択された画像ファイルのファイル名を第１メモリ３８の所定領域に記憶し、更に、次のステップ４０６で、選択された画像ファイルに対応するファイル名の表示状態を通常とは異なる状態に更新する。
【０１０７】
図１０（Ｃ）には、この時点のファイル名表示モード画面の表示状態例が示されている。同図に示す例では、上記通常とは異なる状態として、ユーザにより選択されたファイル名に対してマスクＭによりマスキングした状態を適用している。このように、本実施の形態に係るファイル名表示モード処理では、十字カーソルボタン６４の操作によって選択された転送すべき画像ファイルをＬＣＤ３０による表示対象から除外するようにしているので、転送すべき画像ファイルとして同一の画像ファイルを複数回選択してしまう、といった転送作業における無駄の発生を未然に防止することができる。なお、このとき、マスキングする形態に限らず、選択されたファイル名の表示色を他のファイル名とは異ならせる、選択されたファイル名をブリンク表示する等の、選択されたファイル名と他のファイル名とを区別できる表示状態であれば、如何なる形態も適用できる。
【０１０８】
次のステップ４０８では、この時点の空容量ＥＳからユーザによって選択された画像ファイルの記憶容量を減算することにより、空容量ＥＳが当該画像ファイルを記憶した場合のハードディスク装置９２の空容量となるように空容量ＥＳを更新し、次のステップ４１０で、ＬＣＤ３０に表示されている空容量の値を上記ステップ４０８で得られた空容量ＥＳの値となるように更新し、その後に上記ステップ４０２に戻る。
【０１０９】
一方、上記ステップ４０２において否定判定された場合、すなわち、ユーザによりＰＣ９０に転送したい画像ファイルが選択されていない場合にはステップ４１２に移行し、十字カーソルボタン６４による操作によりファイル名表示モード画面の最下に表示された「選択終了」ボタンが指定されたか否かを判定することにより、ユーザによるＰＣ９０に転送したい画像ファイルの選択が終了したか否かを判定し、肯定判定の場合はステップ４１４に移行する。
【０１１０】
ステップ４１４では、上記ステップ４０２〜ステップ４１０の繰り返し処理によってユーザにより選択された全ての画像ファイルのファイル名を第１メモリ３８から読み出し、読み出したファイル名により示される画像ファイルをＵＳＢインタフェース４６及びレセプタクル７２を介してＰＣ９０に転送し、次のステップ４１６では、転送した画像ファイルを記録メディア４２Ａから消去し、その後にファイル名表示モード処理を終了する。
【０１１１】
なお、上記ステップ４１２において否定判定された場合には上記ステップ４０２に戻る。また、上記ステップ４１４の処理に応じて画像ファイルを受信したＰＣ９０は、ハードディスク装置９２の空領域に受信した画像ファイルを順次記録する。
【０１１２】
上記バックアップ処理（図３参照）のステップ１０２の処理が本発明の取得手段に、ステップ１１６及びステップ１１８の処理が本発明の検出手段に、各々相当する。
【０１１３】
また、上記バックアップ処理のステップ１２６の処理、上記１コマ再生モード処理（図５参照）のステップ２１２の処理、上記マルチ再生モード処理（図７参照）のステップ３１４の処理、及び上記ファイル名表示モード処理（図９参照）のステップ４１４の処理が本発明の転送手段に相当する。
【０１１４】
以上詳細に説明したように、本実施の形態に係るデジタルカメラ１０では、外部に設けられたハードディスク装置９２の残記録容量を示す空容量ＥＳを取得し、取得した空容量ＥＳによって示される残記録容量に基づいて、記録メディア４２Ａに記憶されている画像ファイルからハードディスク装置９２に容量的に記録可能な記録可能画像ファイルを検出し、検出された記録可能画像ファイルの少なくとも１つをハードディスク装置９２を備えたＰＣ９０に転送しているので、画像ファイルの転送途中で転送先のハードディスク装置９２の容量不足が判明して当該画像ファイルの転送が中止される事態の発生を確実に防止し、画像ファイルの転送作業の無駄の発生を未然に防止することができる。
【０１１５】
また、本実施の形態に係るデジタルカメラ１０では、上記記録可能画像ファイルとして、撮影時刻が早い画像ファイルを優先して検出するか、又は容量が大きい画像ファイルを優先して検出しているので、撮影時刻が早い画像ファイルを優先する場合には古い画像ファイルを優先的に外部に転送してバックアップをとることができ、古い画像ファイルを重視する場合の要求に応えることができ、容量が大きい画像情報を優先する場合には検出される記録可能画像ファイルの数を少なくすることができ、画像ファイルを短時間に転送したい場合の要求に応えることができる。
【０１１６】
また、本実施の形態に係るデジタルカメラ１０では、ハードディスク装置９２の残記録容量を示す空容量ＥＳを取得し、記録メディア４２Ａにより記憶された画像ファイルを特定できる特定情報（１コマ再生モード及びマルチ再生モードでは被写体像、ファイル名表示モードではファイル名。）、当該画像ファイルの記憶容量、及び取得された空容量ＥＳによって示される残記録容量を表示すると共に、表示された上記特定情報によって特定される画像ファイルからハードディスク装置９２に記録すべき画像ファイルの選択指示を十字カーソルボタン６４により入力し、入力した選択指示によって示される画像ファイルをハードディスク装置９２を備えたＰＣ９０に転送しているので、画像ファイルの転送途中で転送先のハードディスク装置９２の容量不足が判明して当該画像ファイルの転送が中止される事態の発生を確実に防止し、画像ファイルの転送作業の無駄の発生を未然に防止することができる。
【０１１７】
また、本実施の形態に係るデジタルカメラ１０では、ＰＣ９０に転送した画像ファイルを記録メディア４２Ａから消去しているので、画像ファイルを転送した場合には記録メディア４２Ａの記憶容量を増加させることができる。
【０１１８】
また、本実施の形態に係るデジタルカメラ１０では、ＬＣＤ３０に表示した残記録容量が、十字カーソルボタン６４の操作により入力された選択指示によって示される画像ファイルの記憶容量を減算したものとなるように更新しているので、転送する画像ファイルを連続して複数選択する場合においても、画像ファイルの転送途中で転送先のハードディスク装置９２の容量不足が判明して当該画像ファイルの転送が中止される事態の発生を確実に防止でき、画像ファイルの転送作業の無駄の発生を未然に防止することができる。
【０１１９】
更に、本実施の形態に係るデジタルカメラ１０では、転送すべき画像ファイルとして既に選択された画像ファイルをＬＣＤ３０による表示対象から除外しているので、転送すべき画像ファイルとして同一の画像ファイルを複数回選択してしまう、といった転送作業における無駄の発生を未然に防止することができる。
【０１２０】
なお、本実施の形態では、外部装置に転送した画像ファイルを記録メディア４２Ａから無条件に削除する場合について説明したが、本発明はこれに限定されるものではなく、例えば、外部装置に転送した画像ファイルを記録メディア４２Ａから削除する削除モードと、削除しない保持モードの２つのモードを用意しておき、削除モードが設定されている場合にのみ、転送した画像ファイルを記録メディア４２Ａから削除する形態とすることもできる。この場合、保持モードの設定時には、バックアップ処理（図３参照）のステップ１１２及びステップ１２８の処理、１コマ再生モード処理（図５参照）のステップ２１４の処理、マルチ再生モード処理（図７参照）のステップ３１６の処理、及びファイル名表示モード処理（図９）のステップ４１６の処理を実行しないようにすればよい。これにより、外部装置に転送した画像ファイルを記録メディア４２Ａに保持しておくことが可能となる。
【０１２１】
また、本実施の形態では、本発明の記録装置としてＰＣ９０に接続されたハードディスク装置９２を適用し、本発明の通信手段としてＰＣ９０との間で通信を行うＵＳＢインタフェース４６を適用した場合について説明したが、本発明はこれに限定されるものではなく、本発明の記録装置としてＰＣ９０に接続されていない記録装置（例えば、ハードディスク装置、フロッピィディスク装置等）を適用し、本発明の通信手段として当該記録装置との間で直接通信を行うＵＳＢインタフェース、ＳＣＳＩ（Small Computer System Interface）等の各種インタフェースを適用する形態とすることもできる。この場合は、記録装置の空容量を当該記録装置に直接問い合わせると共に、外部に転送する画像ファイルを当該記録装置に直接記録することになる。この場合も、本実施の形態と同様の効果を奏することができる。
【０１２２】
また、本実施の形態では、被写体像ないしファイル名に転送可能明示枠ＴＦを付することにより記録可能画像ファイルを明示する場合について説明したが、本発明はこれに限定されるものではなく、例えば、記録可能画像ファイル以外の画像ファイルの被写体像ないしファイル名をマスクすることにより記録可能画像ファイルのみを明示する形態や、記録可能画像ファイルのファイル名を他のファイル名と表示色を変えることにより記録可能画像ファイルを明示する形態等とすることもできる。この場合も、本実施の形態と同様の効果を奏することができる。
【０１２３】
更に、本実施の形態において説明した各種処理プログラム（図３、図５、図７、図９参照）の処理の流れは一例であり、本発明の主旨を逸脱しない範囲内において適宜変更可能であることは言うまでもない。
【図面の簡単な説明】
【０１２４】
【図１】実施の形態に係るデジタルカメラ１０の外観を示す外観図である。
【図２】実施の形態に係るデジタルカメラ１０の電気系の構成を示すブロック図である。
【図３】実施の形態に係るデジタルカメラ１０で実行されるバックアップ処理の流れを示すフローチャートである。
【図４】実施の形態に係る転送要否確認画面の一例を示す概略図である。
【図５】実施の形態に係るバックアップ処理の実行途中で実行される１コマ再生モード処理の流れを示すフローチャートである。
【図６】実施の形態に係る１コマ再生モード画面の一例を示す概略図である。
【図７】実施の形態に係るバックアップ処理の実行途中で実行されるマルチ再生モード処理の流れを示すフローチャートである。
【図８】実施の形態に係るマルチ再生モード画面の一例を示す概略図である。
【図９】実施の形態に係るバックアップ処理の実行途中で実行されるファイル名表示モード処理の流れを示すフローチャートである。
【図１０】実施の形態に係るファイル名表示モード画面の一例を示す概略図である。
【符号の説明】
【０１２５】
１０    デジタルカメラ
１４    ＣＣＤ（撮像手段）
３０    液晶ディスプレイ（表示手段）
３２    ＣＰＵ（取得手段、検出手段、転送手段）
４２Ａ    記録メディア（記憶手段）
４２Ｂ    記録メディア
４６    ＵＳＢインタフェース
６４    十字カーソルボタン（指示入力手段）
９０    パーソナル・コンピュータ（外部記憶装置）
９２    ハードディスク装置（外部記憶装置）
【図１】
0004795418.tif 000002
【図２】
0004795418.tif 000003
【図３】
0004795418.tif 000004
【図４】
0004795418.tif 000005
【図５】
0004795418.tif 000006
【図６】
0004795418.tif 000007
【図７】
0004795418.tif 000008
【図８】
0004795418.tif 000009
【図９】
0004795418.tif 000010
【図１０】
0004795418.tif 000011